(57)【要約】【課題】  磁気治療器に係るものであって、特に長期間安定して貼着でき、繰り返し使用することができる磁気治療器を提供する。【解決手段】  エラストマーを主材とするベース部に磁石体を固着した磁気治療器において、ベース部はエラストマーを可撓性フィルムにて被覆密封した袋状とし、肌と当接するベース部の面に貼着層を設け、磁石体は袋状に形成されたベース部内部であって貼着層側に設置し、貼着層は吸水性ポリマーを包含し、貼着層の表面において、シリコーンゲルからなる接着剤と吸水性ポリマーの双方が露出したことを特徴とする磁気治療器。【選択図】  図２
2011000140.tif 000002
【特許請求の範囲】
【請求項１】
エラストマーを主材とするベース部に磁石体を固着した磁気治療器において、
ベース部はエラストマーを可撓性フィルムにて被覆密封した袋状とし、
肌と当接するベース部の面に貼着層を設けたことを特徴とする磁気治療器。
【請求項２】
磁石体は袋状に形成されたベース部内部であって、貼着層側に設置される請求項１に記載の磁気治療器。
【請求項３】
磁石体は貼着層が形成される面に固着される請求項１に記載の磁気治療器。
【請求項４】
ベース部のエラストマーに発泡剤が混入する請求項１乃至請求項３のいずれか１項に記載の磁気治療器。
【請求項５】
貼着層は吸水性ポリマーを包含し、貼着層の表面において、シリコーンゲルからなる接着剤と吸水性ポリマーの双方が露出する請求項１乃至請求項４のいずれか１項に記載の磁気治療器。
【請求項６】
貼着層に粉末状のゲルマニウム及びジルコニウムが混入する請求項１乃至請求項５のいずれか１項に記載の磁気治療器。
【発明の詳細な説明】
【技術分野】
【０００１】
本発明は、磁気治療器に係るものであって、特に長期間安定して貼着でき、繰り返し使用することができる磁気治療器に関するものである。
【背景技術】
【０００２】
従来から、磁石等の磁気を利用し、血行を良好なものとし、肩、腰等の凝りを解消する磁気治療器が公知である。例えば、シリコーンを主材としゲルマニウムを混入した貼付パッドに磁石体を埋設した磁気治療器が公知である（例えば、特許文献１参照）。
【０００３】
特許文献１に記載の磁気治療器は、シリコーンを主成分とした素材を用いることで、衛生的かつ安全であり、かゆみ・かぶれ・蒸れを解消することができ、貼付パッドは、水または中性洗剤でもみ洗いすることで何度も使用できるので、繰り返し使用性を高くすることができるものである。また、磁石体を貼付パッド中に埋設しているので、繰り返し使用をする度に磁石体の取り外しや取付けをする必要がなく、使い勝手を良くすることができるものである。また、シリコーンにゲルマニウムを混入することで、血液を浄化し、コレステロールを分解し、新陳代謝を促進することができるものである。
【先行技術文献】
【特許文献】
【０００４】
【特許文献１】特開２００５−３２８９０７号公報
【０００５】
しかし、特許文献１に係る貼付パッドは円形等の形状とするのみで、粘着シート等の皮膚若しくは下着等への固着手段を具備していないことから、設置した箇所から剥がれ落ちてしまう虞がある。
【発明の概要】
【発明が解決しようとする課題】
【０００６】
そこで、本発明はこのような問題点を解決するものであって、磁気治療器に係るものであって、特に長期間安定して貼着でき、繰り返し使用することができる磁気治療器を提供することを課題とする。
【課題を解決するための手段】
【０００７】
前記問題点を解決するために、本発明の請求項１に記載の発明の磁気治療器は、エラストマーを主材とするベース部に磁石体を固着した磁気治療器において、ベース部はエラストマーを可撓性フィルムにて被覆密封した袋状とし、肌と当接するベース部の面に貼着層を設けたことを特徴とするものである。
【０００８】
また、本発明の請求項２に記載の発明の磁気治療器は、請求項１に記載の磁気治療器において、磁石体は袋状に形成されたベース部内部であって、貼着層側に設置されるものである。
【０００９】
また、本発明の請求項３に記載の発明の磁気治療器は、請求項１に記載の磁気治療器において、磁石体は貼着層が形成される面に固着されるものである。
【００１０】
また、本発明の請求項４に記載の発明の磁気治療器は、請求項１乃至請求項３に記載の磁気治療器において、ベース部のエラストマーに発泡剤が混入するものである。
【００１１】
また、本発明の請求項５に記載の発明の磁気治療器は、請求項１乃至請求項４に記載の磁気治療器において、貼着層は吸水性ポリマーを包含し、貼着層の表面において、シリコーンゲルからなる接着剤と吸水性ポリマーの双方が露出するものである。
【００１２】
また、本発明の請求項６に記載の発明の磁気治療器は、請求項１乃至請求項５に記載の磁気治療器において、貼着層に粉末状のゲルマニウム及びジルコニウムが混入するものである。
【発明の効果】
【００１３】
本発明の請求項１の磁気治療器では、従来における磁気治療器と略同様にして、着用者における肩、腰等の凝りが感じられる患部に直接貼着することで、磁石体の磁力により当該患部の凝りや筋肉疲労等を軽減又は解消することができる。
また、ベース部を袋状としたことから、内部のエラストマーは露出することがなく、磁気治療器を水又は中性洗剤で洗浄することで何度も使用できるので経済的である。
【００１４】
本発明の請求項２の磁気治療器では、磁石体は袋状に形成されたベース部内部であって、貼着層側に設置したことから、磁石体をベース部内に埋設させているので紛失する虞もなくなる。
【００１５】
本発明の請求項３の磁気治療器では、磁石体を貼着層が形成される面に固着したことから、磁石体により着用者のツボ等を刺激することができる。
【００１６】
本発明の請求項４の磁気治療器では、ベース部のエラストマーに発泡剤が混入することから、磁気治療器全体の重量の軽量化を図ることができるので、着用者からの不慮の脱落を防止することができる。
【００１７】
本発明の請求項５の磁気治療器では、貼着層は吸水性ポリマーを包含し、貼着層の表面において、シリコーンゲルからなる接着剤と吸水性ポリマーの双方が露出することから、適切な位置での接着力と極めて優れた吸汗性を確保することができるので、長期間安定して貼着することができるとともに、汗による蒸れが生じるのを防止することができる。
【００１８】
本発明の請求項６の磁気治療器では、貼着層に粉末状のゲルマニウム及びジルコニウムが混入することから、磁気とゲルマニウムの陰イオンとジルコニウムにおける遠赤外線の３種の物理作用の相乗効果により、凝りや筋肉疲労等を軽減又は解消することができる。
【図面の簡単な説明】
【００１９】
【図１】本発明の実施例における磁気治療器の（ａ）正面図、（ｂ）平面図である。
【図２】本発明の実施例における磁気治療器の構成を簡略化した（ａ）説明断面図、（ｂ）別仕様の説明断面図である。
【発明を実施するための形態】
【００２０】
以下、本発明の実施の形態における磁気治療器を図面に基づいて説明する。
【実施例】
【００２１】
本発明に係る磁気治療器１は、図１及び図２に示すように、湾曲した略四角形状のベース部２、磁石体３及び粘着層４とから構成されている。
【００２２】
ベース部２は、図２（ａ）に示すように、袋状の可撓性フィルム２ａ及び当該可撓性フィルム２ａ内に封入される軟質樹脂材２ｂとから形成される。当該ベース部２は袋状に形成されることから、表面１ａ及び肌面１ｂを有してなる。また、図１（ｂ）に示すように、着用者の肌に沿い易いよう、上に凸になるように湾曲して形成され、上方が表面１ａとされる。袋状の可撓性フィルム２ａは、例えばポリウレタンから形成され、軟質樹脂材２ｂは、シリコーンゴムと有機系発泡剤であるアゾジカルボンアミド（永和化成製商品名ビニホール）との混合発泡物からなる。当該発泡剤は磁気治療器１の軽量化の為に用いられ、必ずしも混入する必要はない。当該軟質樹脂材２ｂとは、シリコーンゴムからなる場合と、シリコーンゴムに発泡剤を混入させた混合発泡物からなる場合の両者を意味するものである。
【００２３】
磁石体３は、フェライト磁石、サマリウム・コバルト磁石、ネオジム磁石等のいわゆる永久磁石が略円柱形状に形成される。当該磁石体３は、図１（ｂ）に示すように、ベース部２における肌面１ｂ側に固着される。本実施例では、同図（ａ）のように、肌面１ｂ上の等間隔の四方に固着されるが、磁力の強さに応じて、磁石体３を１個若しくは複数個設けることができるのは勿論であり、磁極等の配列においても制限されるものではない。
【００２４】
粘着層４は、接着剤であるシリコーンゲルと高吸水性ポリマーとからなり、当該粘着層４表面において、シリコーンゲルと高吸水性ポリマーの双方が露出した状態としている。例えば、シリコーンゲルにはＫＥ−１０５２Ａ／Ｂ（信越化学工業製）等を採用し、高吸水性ポリマーには、サンフレッシュＳＴ−５００Ｎ（三洋化成工業製）等を採用する。シリコーンを包含する接着剤を採用することから、着用者にとって衛生的かつ安全であり、かゆみ・かぶれ・蒸れを解消することができる。当該高吸水性ポリマーは吸水性の向上を図る為に用いられ、必ずしも混入する必要はない。
【００２５】
図２（ａ）に示すように、これらのベース部２、磁石体３及び粘着層４から構成される磁気治療器１は次のようにして成形される。先ず、成形用の湾曲した型内に、一枚の可撓性フィルム２ａを載置し、その上に磁石体３を配置する。そして、シリコーンゴムと有機系発泡材料とを混合して軟質樹脂材２ｂを形成し、当該型内に流し込む。後に、軟質樹脂材２ｂの上方から別途の可撓性フィルム２ａにて被包して、袋状とし、１２０℃乃至１６０℃程度で加熱する。これにより、シリコーンゴムが有機系発泡材料の作用を受けて発泡状態となり、全体が可撓性フィルム２ａに被覆された軽量なベース部２として成型される。これにより、磁石体３をベース部２内に埋設させているので紛失する虞もなくなる。
【００２６】
また、磁石体３を容易に配置させる為に、型内に凹部を設けてもよい。係る際には、可撓性フィルム２ａを載置し、当該凹部に磁石体３を設置した後に軟質樹脂材２ｂを流し込む。
【００２７】
更に、上記製造方法とは異なり、袋状のベース部２内部に磁石体３を設置することもできる。係る際には、成形時において軟質樹脂材２ｂを袋状の可撓性フィルム２ａ内に封入するとともに、磁石体３も同時に配列させて封入する。
【００２８】
いずれの製造方法であっても、磁石体３は軟質樹脂材２ｂ内にて、肌面１ｂ側（後述する粘着層４側）であって、可撓性フィルム２ａと当接するようにして配置される。磁石体３を配列させるのが困難な際には、ベース部２を成形した後に磁石体３を着磁する方法が望ましい。
【００２９】
次に、成形型から取り出されたベース部２の肌面１ｂ側にシリコーンゲルからなる接着剤を塗布する。塗布後、１０℃乃至８０℃の温度下で乾燥させ、乾燥硬化するまでの間に、シリコーンゲル上に対して、高吸水性ポリマーを、略均一に振り掛け、粘着層４を形成する。勿論、高吸水性ポリマーは、肌面１ｂ側の全面に設けなくてもよい。
【００３０】
更に、粘着層４の表面を平滑とするために、高吸水性ポリマーをシリコーンゲルに押し込むように型押しする。当該型押し工程は必ずしも必要でなく、高吸水性ポリマーをシリコーンゲル上に振り掛けることにより終了することもできる。
【００３１】
尚、本発明に係る磁気治療器１におけるベース部２の軟質樹脂材２ｂについては、シリコーンゴムに限られるものではなく、例えば、ウレタン、ポリエステルエラストマー等、種々の公知なエラストマーを使用することができる。
【００３２】
また、高吸水性ポリマーの重量に対して吸水量が５０倍程度乃至１０００倍程度となる高吸水性ポリマーを使用することができ、特に２００倍乃至５００倍程度のものであれば、吸水性と吸水後の排水性とのバランスが非常に優れたものとなり、使用後に洗濯、乾燥を行なった場合に、十分に水分を取除くことができ、再使用にも極めて好適なものとすることができる。
【００３３】
このようにして成形される磁気治療器１は、着用者における肩、腰等の凝りが感じられる患部に粘着層４にて直接貼着することで使用され、磁石体３の磁力により当該患部の凝りや筋肉疲労等を軽減又は解消することができるものである。
【００３４】
以上、説明した本発明に係る磁気治療器１によれば、ベース部２内に軟質樹脂材２ｂを用いることで、磁気治療器１全体の重量の軽量化を図ることができるので、着用者からの不慮の脱落を防止することができる。
また、ベース部２を袋状としたことから、内部の軟質樹脂材２ｂは露出することがなく、磁気治療器１を水又は中性洗剤で洗浄することで何度も使用できるので経済的である。
更に、粘着層４を形成するシリコーンゲルと高吸水性ポリマーの双方を露出した構成としたことから、着用者にとって衛生的かつ安全であり、かゆみ・かぶれ・蒸れを解消することができるとともに、適切な位置での接着力を確保することができるので、長期間安定して貼着することができる。また、極めて優れた吸汗性を確保することができるので、汗による蒸れが生じるのを防止することができる。
また、磁気治療器１におけるベース部２が湾曲していることから、体のあらゆる箇所においても容易に貼着することができる。
【００３５】
また、可撓性フィルム２ａが通気性を備えない場合には当該ベース部２によって通気が遮断され、また可撓性フィルム２ａが通気性を有する場合には、独立気泡性の軟質樹脂材２ｂによって通気が遮断されることとなる。これにより、外気との接触を避け、雑菌の繁殖を抑えるとともに、体臭の拡散を防止することができ、高吸水性ポリマーによる吸汗性との相乗作用により、快適な使用感を得ることができる。
【００３６】
更に、上記製造方法とは異なり、図２（ｂ）に示すように、磁石体３を肌面１ｂより突出した状態で、ベース部２に固着することもできる。詳細には、可撓性フィルム２ａに被覆された軽量なベース部２を形成した後、乾燥硬化までの間に、磁石体３を肌面１ｂ側に配列させて、粘着層４を構成する接着剤とは別の接着剤５にて固着すればよいものである。これにより、磁石体３を肌面１ｂより突出した状態で、ベース部２に固着することができ、ツボを刺激する際に効果的である。
【００３７】
また、磁石体３にウレタンゴム等からなる合成樹脂のカバー（図示しない）をしてもよい。これにより、磁石体３が直接、体に接するのを防止することもできる。
【００３８】
また、粘着層４を形成する際のシリコーンゲルからなる接着剤内に、粒径０．４μｍ程度の粉末状のゲルマニウム及びジルコニウムを混入することもできる。これにより、磁気とゲルマニウムの陰イオンとジルコニウムにおける遠赤外線の３種の物理作用の相乗効果により、凝りや筋肉疲労等を軽減又は解消することができる。
【符号の説明】
【００３９】
１      磁気治療器
１ａ    表面
１ｂ    肌面
２      ベース部
２ａ    可撓性フィルム
２ｂ    軟質樹脂材
３      磁石体
４      粘着層
５      接着剤
【図１】
2011000140.tif 000003
【図２】
2011000140.tif 000004